(57)【要約】【解決手段】給糸パッケージＰｓから巻き戻された糸ｙを、巻き取りパッケージＰｗに巻き取る糸巻き返し機において、前記給糸パッケージを自由回転自在に支持する給糸パッケージ支持装置と、前記給糸パッケージの糸を前記巻き取りパッケージに巻き取る巻き取り装置と、前記給糸パッケージから前記巻き取りパッケージに至るまでの糸ｙに、前記巻き取りパッケージ側への送り力を付与する糸送り装置Ｆとを装備したものである。【効果】給糸パッケージからの糸の解舒性を向上することができ、しかも、巻き取りパッケージに巻き取られる糸張力を、適正な値に維持することができる。【選択図】図１
2004107007.tif 000002
【特許請求の範囲】
【請求項１】
給糸パッケージから巻き戻された糸を、巻き取りパッケージに巻き取る糸巻き返し機において、前記給糸パッケージを自由回転自在に支持する給糸パッケージ支持装置と、前記給糸パッケージの糸を前記巻き取りパッケージに巻き取る巻き取り装置と、前記給糸パッケージから前記巻き取りパッケージに至るまでの糸に、前記巻き取りパッケージ側への送り力を付与する糸送り装置とを備えたことを特徴とする糸巻き返し機。
【請求項２】
前記糸送り装置が、糸が相対的に滑り可能であって、糸との間の摩擦力によって、糸に送り力を付与する摩擦式のものであることを特徴とする請求項１に記載の糸巻き返し機。
【請求項３】
前記摩擦式の糸送り装置が、一対のローラーを有し、各ローラーが、それぞれ積極的に駆動され、糸が、前記一対のローラーに跨がって巻き掛けられるものであることを特徴とする請求項２に記載の糸巻き返し機。
【請求項４】
前記巻き取り装置と前記糸送り装置とが、同一駆動源にて連動されていることを特徴とする請求項１〜請求項３のいずれか１項に記載の糸巻き返し機。
【発明の詳細な説明】
【０００１】
【発明の属する技術分野】
本発明は、給糸パッケージから引き出された糸を、巻き取りパッケージに巻き返す糸巻き返し機に関するものである。
【０００２】
【従来の技術】
従来、図６に示されているように、垂直に、且つ、非回転状態に支持されている給糸パッケージＰｓ’から糸ｙを、該パッケージＰｓ’の軸方向に引き出すとともに、該糸ｙを、適当なガイドｇ１、ｇ２を経て、略水平に支持され、フリクションローラーＲに接触し回転している巻き取りパッケージＰｗ’に巻き取るようにした糸巻き返し機が知られている。
【０００３】
【発明が解決しようとする課題】
上述した垂直に、且つ、非回転状態に支持されている給糸パッケージＰｓ’から糸ｙを引き出すようにした従来の糸巻き返し機においては、給糸パッケージＰｓ’からの解舒性が悪い糸の場合には、巻き戻し途中で、解舒中の糸が、給糸パッケージＰｓ’の他の糸に引っ掛かり、解舒できなくなるという問題があった。特に、毛羽の多い糸や弾性糸や意匠糸や加工糸等の場合には、引っ掛かり易く、また、パッケージの状態で染色されたものを、上記のように巻き戻す場合にも、染色工程により、パッケージの上層糸が下層に潜り込んでいるので、解舒性が悪く、問題となっていた。
【０００４】
本発明の目的は、上述した従来の糸巻き返し機が有する課題を解決することにある。
【０００５】
【課題を解決するための手段】
本発明は、上述した目的を達成するために、給糸パッケージから巻き戻された糸を、巻き取りパッケージに巻き取る糸巻き返し機において、第１には、前記給糸パッケージを自由回転自在に支持する給糸パッケージ支持装置と、前記給糸パッケージの糸を前記巻き取りパッケージに巻き取る巻き取り装置と、前記給糸パッケージから前記巻き取りパッケージに至るまでの糸に、前記巻き取りパッケージ側への送り力を付与する糸送り装置とを備えたものであり、第２には、前記糸送り装置が、糸が相対的に滑り可能であって、糸との間の摩擦力によって、糸に送り力を付与する摩擦式のものであり、第３には、前記摩擦式の糸送り装置を、一対のローラーを有し、各ローラーが、それぞれ積極的に駆動され、糸が、前記一対のローラーに跨がって巻き掛けられているように構成したものであり、第４には、前記巻き取り装置と前記糸送り装置とを、同一駆動源にて連動するように構成したものである。
【０００６】
【実施例】
以下に、本発明の実施例について説明するが、本発明の趣旨を越えない限り何ら、本実施例に限定されるものではない。
【０００７】
Ｐｓは、給糸パッケージであり、給糸パッケージＰｓは、ボビン１を、ボビン把持部材２の相対するクレードルアーム２ａに回転可能に支持された回転円盤２ｂにより挟持することにより、ボビン把持部材２に、略水平に自由回転自在に支持されている。上記ボビン把持部材２は、給糸パッケージＰｓを、自由回転自在に支持する給糸パッケージ支持装置を構成している。この給糸パッケージ支持装置により、糸を巻き取る方向と逆方向に給糸パッケージＰｓを回転させながら、給糸パッケージＰｓから糸を解舒することができるようになっている。
【０００８】
Ｐｗは、上述したボビン把持部材２と同様のボビン把持部材３により回転可能に、且つ、略水平に支持された巻き取りパッケージである。巻き取りパッケージＰｗは、フリクションローラーＲに接触することにより、回転駆動されるように構成されている。フリクションローラーＲにはプーリー４が取着されているとともに、機台Ｂに配設されたモーターＭの駆動軸にはプーリー５が取着されており、また、フリクションローラーＲに取着されたプーリー４とモーターＭの駆動軸に取着されたプーリー５とには無端ベルト６が張設されている。従って、モーターＭを駆動させることにより、プーリー５、無端ベルト６及びプーリー４を介して、フリクションローラーＲが回転するように構成されている。上記ボビン把持部材３及びフリクションローラーＲは、給糸パッケージＰｓの糸を、巻き取りパッケージＰｗに巻き取る巻き取り装置を構成している。この巻き取り装置により、巻き取りパッケージＰｗを回転させながら、給糸パッケージＰｓの糸を引き上げて、巻き取りパッケージＰｗに巻き取ることができる。
【０００９】
Ｆは、給糸パッケージＰｓから巻き取りパッケージＰｗに至るまでの糸ｙに、巻き取りパッケージＰｗ側への送り力を付与する糸送り装置である。糸送り装置Ｆは、給糸パッケージ支持装置と巻き取り装置との間で、且つ、給糸パッケージＰｓの略直上位置に設けられ、所定の間隔を置いて配設された一対の糸送り部材Ｆ１、Ｆ２から構成されている。各糸送り部材Ｆ１、Ｆ２は、機台Ｂから張り出した適当なフレーム７に取着された軸受け部材８と、軸受け部材８に内蔵された軸受けに略水平に支持された軸の一方の端部に取着されたプーリー９と、軸のもう一方の端部に取着された糸掛けローラー１０とから構成されている。
【００１０】
本実施例においては、糸送り装置Ｆを構成する一対の糸送り部材Ｆ１、Ｆ２のうち、一方の糸送り部材Ｆ１が、フレーム７の前方、即ち、機台Ｂから遠い方に配置されており、もう一方の糸送り部材Ｆ２が、フレーム７の後方、即ち、上記の糸送り部材Ｆ１に対して、機台Ｂ側に配置されている。以下、便宜的に、機台Ｂの前方に配置されている糸送り部材Ｆ１を、前方糸送り部材Ｆ１と称し、機台Ｂ側に配置されている糸送り部材Ｆ２を、後方糸送り部材Ｆ２と称する。前方糸送り部材Ｆ１の糸掛けローラー１０と後方糸送り部材Ｆ２の糸掛けローラー１０とは、後述する駆動手段により、回転駆動されるように構成されている。
【００１１】
本実施例においては、前方糸送り部材Ｆ１は、糸掛けローラー１０の軸線Ｘ１が、機台Ｂの長手方向、即ち、給糸パッケージＰｓ及び巻き取りパッケージＰｗの回転軸線に略平行になるように配置されており、後方糸送り部材Ｆ２の糸掛けローラー１０は、その軸線Ｘ２が、前方糸送り部材Ｆ１の糸掛けローラー１０の軸線Ｘ１に対して、後方糸送り部材Ｆ２の糸掛けローラー１０の先端側を、前方糸送り部材Ｆ１側に近づけて傾斜するように配設されている。このように、後方糸送り部材Ｆ２の糸掛けローラー１０の軸線Ｘ２を、前方糸送り部材Ｆ１の糸掛けローラー１０の軸線Ｘ１に対して、前方糸送り部材Ｆ１側に傾斜するように構成することにより、前方糸送り部材Ｆ１の糸掛けローラー１０と後方糸引き部材Ｆ２の糸掛けローラー１０とに、複数回、巻き付けられ、糸送り装置Ｆにより送り力を付与される糸ｙが、前方糸送り部材Ｆ１の糸掛けローラー１０及び後方糸送り部材Ｆ２の糸掛けローラー１０上で、互いに接触したり重なるようなことを防止することができる。
【００１２】
糸送り装置Ｆが配設されているフレーム７には、中間プーリー１１が配設されており、中間プーリー１１と上述したモーターＭの駆動軸に取着されたプーリー５との間には、無端ベルト１２が張設されており、また、中間プーリー１１と後方糸送り部材Ｆ２のプーリー９との間には、無端ベルト１３が張設されており、更に、後方糸送り部材Ｆ２のプーリー９と前方糸送り部材Ｆ１のプーリー９との間には、無端ベルト１４が張設されている。従って、モーターＭを駆動させることにより、モーターＭの駆動軸に取着されたプーリー５、無端ベルト１２、中間プーリー１１、無端ベルト１３及び後方糸送り部材Ｆ２のプーリー９を介して、後方糸送り部材Ｆ２の糸掛けローラー１０が回転駆動され、また、後方糸送り部材Ｆ２のプーリー９、無端ベルト１４及び前方糸送り部材Ｆ１のプーリー９を介して、前方糸送り部材Ｆ１の糸掛けローラー１０が回転駆動されるように構成されている。このように、モーターＭは、巻き取り装置と糸送り装置Ｆとに対する共通の駆動源になっており、巻き取り装置と糸送り装置Ｆとは、機械的に連動するようになっている。即ち、巻き取り装置のフリクションローラーＲと糸送り装置Ｆの糸掛けローラー１０とは、所定比率で、同期回転駆動されるようになっている。
【００１３】
なお、１５は、給糸パッケージＰｓと糸送り装置Ｆとの間に、適宜、配設された糸ガイドであり、また、１６は、糸送り装置Ｆと巻き取りパッケージＰｗとの間に、適宜、配設された糸ガイドである。なお、巻き取りパッケージＰｗに巻回される糸ｙは、公知のように、図示されていないトラバース装置により、巻き取りパッケージＰｗの軸線に沿って綾振りされながら巻き取られることになる。
【００１４】
上述した構成を有する糸巻き返し機においては、機台Ｂの下部に、上述した給糸パッケージＰｓが、その軸線が、機台Ｂの長手方向に略平行になるように、ボビン把持部材２に回転可能に支持されており、また、給糸パッケージＰｓの上方には、上述した前方糸送り部材Ｆ１と後方糸送り部材Ｆ２とからなる糸送り装置Ｆが、前方糸送り部材Ｆ１の糸掛けローラー１０の軸線Ｘ１が機台Ｂの長手方向に略平行になるように配設されており、更に、糸送り装置Ｆの上方には、巻き取りパッケージＰｗが、その軸線が、機台Ｂの長手方向に略平行になるように配設されている。
【００１５】
略水平に回転自在に支持されている給糸パッケージＰｓから、その周面の接線方向に引き出された糸ｙは、糸ガイド１５を経て、糸送り装置Ｆを構成する前方糸送り部材Ｆ１の積極回転している糸掛けローラー１０と後方糸送り部材Ｆ２の積極回転している糸掛けローラー１０とに跨がって張設されるように、１回或いは複数回、巻き付けられ、その後、糸ガイド１６を経て、且つ、図示されていないトラバース装置により綾振りされながら、フリクションローラーＲに接触し回転している巻き取りパッケージＰｗに巻き取られることになる。
【００１６】
上述したように、給糸パッケージＰｓを、その軸線が略水平に、且つ、回転自在に支持することにより、垂直に、且つ、非回転状態に支持されている給糸パッケージＰｓ’から、その軸線方向に糸ｙを解舒する従来の糸巻き返し機に比べ、給糸パッケージＰｓから引き出される糸ｙの解舒性を向上することができる。
【００１７】
また、糸送り装置Ｆを構成する前方糸送り部材Ｆ１の糸掛けローラー１０と後方糸送り部材Ｆ２の糸掛けローラー１０は、一定の回転速度（巻き取り装置のフリクションローラーＲと同期した回転速度）で積極回転しているので、給糸パッケージＰｓを回転自在に支持して、給糸パッケージＰｓから糸ｙを引き出すようにしたことにより、給糸パッケージＰｓから解舒される糸ｙの解舒張力が増大し、且つ、その張力が大きく変動することが生じたとしても、即ち、糸送り装置Ｆと給糸パッケージＰｓとの間に位置する糸ｙの張力が、増大し、且つ、大きく変動することが生じたとしても、糸送り装置Ｆを設けたことにより、巻き取りパッケージＰｗに巻き取られる糸ｙの巻き取り張力を低く抑え、且つ、その巻き取り張力が変動しないようにすることができる。即ち、糸送り装置Ｆと巻き取りパッケージＰｗとの間に存在する糸ｙの張力を略一定で適正な値に保つことができる。このため、糸送り装置Ｆと巻き取りパッケージＰｗとの間で、糸ｙが不規則に弛んだり或いは糸ｙが不規則に引っ張られるようなことがなく、従って、巻き取りパッケージＰｗに、糸ｙを、略一定の適正な張力で巻き取ることができ、巻き取りパッケージＰｗの巻き姿を良好なものとすることができる。
【００１８】
更に、糸送り装置Ｆを、糸掛けローラー１０に糸ｙを巻き付けて、糸ｙに、巻き取りパッケージＰｗ側への送り力を付与するもの、即ち、糸ｙが相対的に滑り可能であって、糸ｙとの間の摩擦力で糸ｙに送り力を付与する、摩擦式のものとしたので、給糸パッケージＰｓの解舒変動（給糸パッケージＰｓと糸送り装置Ｆとの間の糸ｙの弛み）を、滑りによって逃すことが可能となる。また、糸ｙを、糸送り装置Ｆを構成する一対の前方糸送り部材Ｆ１と後方糸送り部材Ｆ２とに、１回或いは複数回、張設し、給糸パッケージＰｓから引き出すように構成したので、糸送り装置Ｆを摩擦式としても、確実に、糸ｙに、巻き取りパッケージＰｗへの送り力を付与することができる。
【００１９】
上述した実施例においては、糸送り装置Ｆが、一対の前方糸送り部材Ｆ１と後方糸送り部材Ｆ２とにより構成されているが、糸送り装置Ｆを、１つの糸送り部材Ｆ１、Ｆ２により構成することもできる。この場合には、１つの糸送り部材Ｆ１、Ｆ２の糸掛けローラー１０に、１回或いは複数回、糸ｙを巻き付けることになる。
【００２０】
なお、中間プーリー１１を、適宜、径の異なるプーリーに変更したり、或いは、モーターＭの無端ベルト１２側のプーリーを、適当な減速装置を介して、モーターＭに接続したり、その他のプーリー４、５、９を、適宜、径の異なるプーリーに変更することにより、フリクションローラーＲの周速と糸送り部材Ｆ１、Ｆ２の糸掛けローラー１０の周速とを変更して、巻き取りパッケージＰｗと糸送り装置Ｆとの間に位置する糸張力を調整することができる。
【００２１】
更に、上述したように、巻き取り装置のフリクションローラーＲと糸送り装置Ｆとの駆動源であるモーターＭを共通としたので、糸巻き返し機の構造を簡素化することができる。しかも、フリクションローラーＲと糸送り装置Ｆの糸掛けローラー１０とが連動するようになっているため、巻き取り開始時等、巻き取り速度を加減速する場合にも、適正な張力に維持することができる。
【００２２】
また、糸送り装置Ｆは、上述した糸送り部材Ｆ１、Ｆ２に限定されることなく、略水平に回転自在に支持されている給糸パッケージＰｓから、糸ｙに、巻き取りパッケージＰｗへの送り力を付与することができるものであれば、どのようなものでもよい。例えば、図５に示されているように、回転駆動する水平軸１７に取着されているとともに、給糸パッケージＰｓから引き出される糸ｙを挟持する２枚の円錐台状のワッシャー部材１８、１８から構成されていてもよい。ワッシャー部材１８の垂直面１８ａには、放射状に延在する凸条１８ｂが適当数形成されており、一対の円錐台状のワッシャー部材１８、１８を、垂直面１８ａが対向するように配置するとともに、一対のワッシャー部材１８、１８の凸条１８ｂが、それぞれ、対向するワッシャー部材１８の凸条１８ｂ間に位置するように配置する。給糸パッケージＰｓから巻き戻された糸ｙを、一対のワッシャー部材１８、１８の凸条１８ｂにより、ジグザグ状に挟持することにより、糸ｙに、給糸パッケージＰｓから巻き取りパッケージＰｗへの方向に送り力を付与することができる。
【００２３】
図３及び図５に示した糸送り装置Ｆは、いずれも摩擦式のものであったが、糸送り装置Ｆは、糸を挟持するニップ式のもの（例えば、一対のニップローラーで構成する）としてもよい。糸送り装置Ｆをニップ式とすると、巻き取りテンション（巻き取りパッケージＰｗに巻き取られる糸の張力）を確実に安定させることができるが、正確な回転精度が必要となる。また、給糸パッケージＰｓの解舒変動の逃げ場がなくなるため、解舒テンション（給糸パッケージＰｓから解舒された糸の張力）が緩むという問題が生じる恐れがある。これに対し、前記摩擦式の糸送り装置Ｆとした場合は、正確な回転精度が要求されないため、より実用的である。
【００２４】
【発明の効果】
本発明は、以上説明した構成を有しているので、以下に記載する効果を奏するものである。
【００２５】
給糸パッケージを自由回転自在に支持する給糸パッケージ支持装置と、給糸パッケージの糸を巻き取りパッケージに巻き取る巻き取り装置と、給糸パッケージから巻き取りパッケージに至るまでの糸に、巻き取りパッケージ側への送り力を付与する糸送り装置とを装備したので、給糸パッケージからの糸の解舒性を向上することができ、しかも、巻き取りパッケージに巻き取られる糸張力を、適正な値に維持することができる。
【００２６】
糸送り装置を、糸が相対的に滑り可能であって、糸との間の摩擦力によって、糸に送り力を付与する摩擦式のものとしたので、給糸パッケージの解舒変動を、滑りによって逃すことが可能となる。
【００２７】
摩擦式の糸送り装置を、一対のローラーを有し、各ローラーが、それぞれ積極的に駆動され、糸が、一対のローラーに跨がって巻き掛けられているように構成したので、糸送り装置を摩擦式としても、確実に、糸に、巻き取りパッケージへの送り力を付与することができる。
【００２８】
巻き取り装置と糸送り装置とを、同一駆動源にて連動するように構成したので、糸巻き返し機の構造を簡素化することができるとともに、巻き取り開始時等、巻き取り速度を加減速する場合にも、適正な張力に維持することができる。
【図面の簡単な説明】
【図１】図１は本発明の糸巻き返し機の側面図である。
【図２】図２は本発明の糸巻き返し機の給糸パッケージ側の正面図である。
【図３】図３は本発明の糸巻き返し機を構成する糸送り装置の平面図である。
【図４】図４は本発明の糸巻き返し機を構成する糸送り装置の斜視図である。
【図５】図５は本発明の糸巻き返し機を構成する糸送り装置の別の実施例の斜視図である。
【図６】図６は従来の糸巻き返し機の側面図である。
【符号の説明】
Ｆ・・・・・・・・・・・・・・糸送り装置
Ｍ・・・・・・・・・・・・・・モーター
Ｐｓ・・・・・・・・・・・・・給糸パッケージ
Ｐｗ・・・・・・・・・・・・・巻き取りパッケージ
１０・・・・・・・・・・・・・糸掛けローラー
【図１】
2004107007.tif 000003
【図２】
2004107007.tif 000004
【図３】
2004107007.tif 000005
【図４】
2004107007.tif 000006
【図５】
2004107007.tif 000007
【図６】
2004107007.tif 000008